(57)【要約】【課題】生産性が良く、寿命の長いカメラモジュール、及びその接続方法を提供すること。【解決手段】本発明のカメラモジュールにおいて、引出用フレキシブル基板１２に設けられた導電パターン１３が引出用フレキシブル基板１２を押圧する押圧部材１９によって接続導体１７に圧接されるため、半田付作業が不要となり、生産性が良く、安価なものが得られる。【選択図】図３
2007159034.tif 000002
【特許請求の範囲】
【請求項１】
レンズと、ケースと、このケース外に導出され、導電パターンを有する引出用フレキシブル基板とを備え、前記ケース外には、接続導体を有する基板部材が配置され、前記導電パターンが前記引出用フレキシブル基板を押圧する押圧部材によって前記接続導体に圧接されたことを特徴とするカメラモジュール。
【請求項２】
前記ケース内には、コイル、磁石、及びロータからなるモータが設けられ、前記ケースに保持された固定側の前記コイルには、前記導電パターンが接続されると共に、前記ロータに設けられたネジ部には、前記レンズを取り付けた可動体のネジが噛み合わされ、前記ロータの回転によって、前記可動体が光軸方向に可動するようにしたことを特徴とする請求項１記載のカメラモジュール。
【請求項３】
前記ケースの下部には、前記基板部材が配置されて、前記ケースと前記基板部材との間の空隙部が設けられ、前記空隙部には、前記引出用フレキシブル基板が配置されると共に、前記空隙部に嵌入された前記押圧部材によって、前記導電パターンが前記接続導体に圧接されたことを特徴とする請求項１，又は２記載のカメラモジュール。
【請求項４】
前記基板部材は、前記接続導体である導電体を有した絶縁基板で形成されたことを特徴とする請求項３記載のカメラモジュール。
【請求項５】
前記絶縁基板の下部には、前記導電体が接続される配線パターンを有した回路基板を設けたことを特徴とする請求項４記載のカメラモジュール。
【請求項６】
前記基板部材は、前記接続導体である配線パターンを有した回路基板で形成されたことを特徴とする請求項３記載のカメラモジュール。
【請求項７】
前記押圧部材がバネ性のある板材で形成されたことを特徴とする請求項３から６の何れか１項に記載のカメラモジュール。
【請求項８】
前記押圧部材は、前記導電パターンに対向する位置に押圧部が設けられ、それぞれの前記押圧部によって、前記導電パターンが位置する前記引出用フレキシブル基板側を押圧するようにしたことを特徴とする請求項３から７の何れか１項に記載のカメラモジュール。
【請求項９】
それぞれの前記押圧部の両端部が連結部によって結合されたことを特徴とする請求項８記載のカメラモジュール。
【請求項１０】
前記押圧部材には、前記ケースに掛止めされる係止部を有し、この係止部が前記ケースに掛止めされて前記空隙部内に止められたことを特徴とする請求項３から９の何れか１項に記載のカメラモジュール。
【請求項１１】
前記引出用フレキシブル基板は、前記ケース内に配置されたリング状部と、このリング状部に繋がり、前記ケース内に位置する曲げ部と、前記リング状部に繋がり、前記ケース外に導出される引出部を有し、前記曲げ部の位置で前記コイルに接続されると共に、前記引出部の位置で前記接続導体に接続されたことを特徴とする請求項１から１０の何れか１項に記載のカメラモジュール。
【請求項１２】
請求項３から９の何れか１項に記載のカメラモジュールを備え、前記押圧部材は、前記引出用フレキシブル基板を押圧するように前記ケース外から前記空隙部内に嵌入されて、前記導電パターンを前記接続導体に圧接したことを特徴とするカメラモジュールの接続方法。
【請求項１３】
請求項１０記載のカメラモジュールを備え、前記押圧部材が前記空隙部内に嵌入された際、前記押圧部材の前記係止部が前記ケースに掛止めされたことを特徴とする請求項１２記載のカメラモジュールの接続方法。
【発明の詳細な説明】
【技術分野】
【０００１】
本発明は、カメラや携帯電話機等に使用して好適なカメラモジュール、及びその接続方法に関するものである。
【背景技術】
【０００２】
従来のカメラモジュールの構成を図７に基づいて説明すると、固定筒５１と、この固定筒５１に対して可動するように配置された移動筒５２と、この移動筒５２に取り付けられ、レンズ５３が設けられたレンズ部５４と、このレンズ部５４に設けられた電気部品に接続されたフレキシブル基板５５を有する。
【０００３】
このフレキシブル基板５５は、余剰部分５５ａを持たせた状態で固定筒５１外に導出され、端部が基板部材の接続導体に半田付けされて接続されるようになっている。
【０００４】
このような従来のカメラモジュールは、図７に示すように、焦点調整のためにレンズ部５４が光軸方向に可動した際、フレキシブル基板５５の余剰部分５５ａが伸縮して、フレキシブル基板５５がレンズ部５４の移動に対応するようになっている（例えば、特許文献１参照）。
【０００５】
また、従来のカメラモジュールの接続方法は、フレキシブル基板５５の端部が基板部材の接続導体に半田付けされて接続されるようになっている。
【特許文献１】特開平７−１１０４２２号公報
【発明の開示】
【発明が解決しようとする課題】
【０００６】
しかし、従来のカメラモジュールは、フレキシブル基板５５の端部が基板部材の接続導体に半田付けされて接続されるようになっているため、その半田付作業が面倒で、生産性が悪い上に、フレキシブル基板５５の余剰部分５５ａが伸縮するため、余剰部分５５ａが疲労して、レキシブル基板５５の寿命が短くなるという問題がある。
【０００７】
また、従来のカメラモジュールの接続方法は、フレキシブル基板５５の端部が基板部材の接続導体に半田付けされて接続されるようになっているため、その半田付作業が面倒で、生産性が悪いという問題がある。
【０００８】
本発明は、このような従来技術の実情に鑑みてなされたもので、その目的は、生産性が良く、寿命の長いカメラモジュール、及びその接続方法を提供することにある。
【課題を解決するための手段】
【０００９】
上記の目的を達成するために、本発明は、レンズと、ケースと、このケース外に導出され、導電パターンを有する引出用フレキシブル基板とを備え、ケース外には、接続導体を有する基板部材が配置され、導電パターンが引出用フレキシブル基板を押圧する押圧部材によって接続導体に圧接されたことを特徴としている。
【００１０】
このように構成した本発明は、導電パターンが引出用フレキシブル基板を押圧する押圧部材によって接続導体に圧接されるため、半田付作業が不要となり、生産性が良く、安価なものが得られる。
【００１１】
また、本発明は、上記発明において、ケース内には、コイル、磁石、及びロータからなるモータが設けられ、ケースに保持された固定側のコイルには、導電パターンが接続されると共に、ロータに設けられたネジ部には、レンズを取り付けた可動体のネジが噛み合わされ、ロータの回転によって、可動体が光軸方向に可動するようにしたことを特徴としている。
【００１２】
このように構成した本発明は、引出用フレキシブル基板が固定側のコイルに接続されているため、引出用フレキシブル基板の伸縮動作が無く、長寿命の引出用フレキシブル基板が得られる。
【００１３】
また、本発明は、上記発明において、ケースの下部には、基板部材が配置されて、ケースと基板部材との間の空隙部が設けられ、空隙部には、引出用フレキシブル基板が配置されると共に、空隙部に嵌入された押圧部材によって、導電パターンが接続導体に圧接されたことを特徴としている。
【００１４】
このように構成した本発明は、押圧部材が空隙部内に嵌入されるため、押圧部材による導電パターンの接続導体への圧接が良好となり、接続状態の確実なものが得られる。
【００１５】
また、本発明は、上記発明において、基板部材は、接続導体である導電体を有した絶縁基板で形成されたことを特徴としている。
【００１６】
このように構成した本発明は、絶縁基板が引出用フレキシブル基板の接続と撮像素子の配線に兼用できて、生産性の良いものが得られる。
【００１７】
また、本発明は、上記発明において、絶縁基板の下部には、導電体が接続される配線パターンを有した回路基板を設けたことを特徴としている。
【００１８】
このように構成した本発明は、絶縁基板の回路基板への接続の容易なものが得られる。
【００１９】
また、本発明は、上記発明において、基板部材は、接続導体である配線パターンを有した回路基板で形成されたことを特徴としている。
【００２０】
このように構成した本発明は、絶縁基板を削減できて、安価なものが得られる。
【００２１】
また、本発明は、上記発明において、押圧部材がバネ性のある板材で形成されたことを特徴としている。
【００２２】
このように構成した本発明は、押圧部材が安価にできると共に、押圧力の良好なものが得られる。
【００２３】
また、本発明は、上記発明において、押圧部材は、導電パターンに対向する位置に押圧部が設けられ、それぞれの押圧部によって、導電パターンが位置する引出用フレキシブル基板側を押圧するようにしたことを特徴としている。
【００２４】
このように構成した本発明は、個々の押圧部による導電パターンの接続導体への圧接が良好となり、接続状態の確実なものが得られる。
【００２５】
また、本発明は、上記発明において、それぞれの押圧部の両端部が連結部によって結合されたことを特徴としている。
【００２６】
このように構成した本発明は、連結部によって個々の押圧部の押圧力を増加できて、個々の押圧部による導電パターンの接続導体への圧接が良好にできる。
【００２７】
また、本発明は、上記発明において、押圧部材には、ケースに掛止めされる係止部を有し、この係止部がケースに掛止めされて空隙部内に止められたことを特徴としている。
【００２８】
このように構成した本発明は、係止部によって、押圧部材の抜け止めを確実にできる。
【００２９】
また、本発明は、上記発明において、引出用フレキシブル基板は、ケース内に配置されたリング状部と、このリング状部に繋がり、ケース内に位置する曲げ部と、リング状部に繋がり、ケース外に導出される引出部を有し、曲げ部の位置でコイルに接続されると共に、引出部の位置で接続導体に接続されたことを特徴としている。
【００３０】
このように構成した本発明は、コイルへの接続とケース外への引出の容易な引出用フレキシブル基板が得られる。
【００３１】
上記の目的を達成するために、本発明は、カメラモジュールを備え、押圧部材は、引出用フレキシブル基板を押圧するようにケース外から空隙部内に嵌入されて、導電パターンを接続導体に圧接したことを特徴としている。
【００３２】
このように構成した本発明は、導電パターンが引出用フレキシブル基板を押圧する押圧部材によって接続導体に圧接されるため、半田付作業が不要となり、生産性が良く、安価なものが得られる。
【００３３】
また、本発明は、上記発明において、カメラモジュールを備え、押圧部材が空隙部内に嵌入された際、押圧部材の係止部がケースに掛止めされたことを特徴としている。
【００３４】
このように構成した本発明は、係止部によって、押圧部材の抜け止めを確実にできる。
【発明の効果】
【００３５】
本発明は、導電パターンが引出用フレキシブル基板を押圧する押圧部材によって接続導体に圧接されるため、半田付作業が不要となり、生産性が良く、安価なものが得られる。
【発明を実施するための最良の形態】
【００３６】
発明の実施の形態について図面を参照して説明すると、図１は本発明のカメラモジュールの平面図、図２は図１の２−２線における断面図、図３は本発明のカメラモジュールに係り、接続構造を示す要部の断面図、図４は本発明のカメラモジュールに係り、接続構造を示す要部の斜視図、図５は本発明のカメラモジュールに係り、押圧部材の構造を示す要部の斜視図、図６は本発明のカメラモジュールに係る引出用フレキシブル基板の斜視図である。
【００３７】
次に、本発明のカメラモジュールに係る構成を図１〜図６に基づいて説明すると、本発明のカメラモジュールは、ケース１と、このケース１内に配置されたモータＭと、このモータＭによって可動するレンズ１０と、ケース１外の導出された引出用フレキシブル基板１２と、この引出用フレキシブル基板１２に接続される絶縁基板１６と、この絶縁基板１６に接続される回路基板２０とで主部材が形成されている。
【００３８】
ケース１は、合成樹脂の成型品からなる上、下ケース部２，３を有し、この上、下ケース部２，３は、特に図２に示すように、互いに凹凸嵌合等によって一体化されて、箱形のケース１が形成されている。
【００３９】
モータＭは、支持部４によって支持された環状の第１，第２のコイル５，６と、筒状の磁石７と、筒状のロータ８とで形成され、このモータＭは、ケース１内に配置されると共に、ロータ８の内周部には、ネジ部８ａが設けられている。
【００４０】
鏡筒からなる可動体９は、ネジ部８ａに噛み合うネジ９ａを有すると共に、この可動体９の内周部には、レンズ１０が取り付けられ、ロータ８が回転した際、可動体９を介してレンズ１０が光軸方向に移動するようになっている。
【００４１】
また、ケース１内には、可動体９を常時付勢するバネ部材１１が設けられ、このバネ部材１１によって、可動体９のガタツキを防止している。
【００４２】
引出用フレキシブル基板１２は、特に図６に示すように、上下に平行に位置する第１，第２のリング状部１２ａ、１２ｂと、第１のリング状部１２ａから上に曲げられた一対の曲げ部１２ｃと、第１，第２のリング状部１２ａ、１２ｂを繋ぐ連結部１２ｄと、第２のリング状部１２ｂから下方に曲げられた２個の曲げ部１２ｅと、第２のリング状部１２ｂから下方に突出した引出部１２ｆを有する。
【００４３】
この引出用フレキシブル基板１２の一面側には、破線（図６で隠れた部分）とと一点鎖線（図６で表出した部分）で示すように、複数の導電パターン１３が設けられている。
【００４４】
そして、引出用フレキシブル基板１２は、第１のリング状部１２ａが第１のコイル５側に配置されて、曲げ部１２ｃの箇所で第１のコイル５に接続され、また、第２のリング状部１２ｂが第２のコイル６側に配置されて、曲げ部１２ｅの箇所で第２のコイル６に接続され、更に、引出部１２ｆがケース１の孔１ａを通ってケース１外に導出されている。
【００４５】
ケース１内には、レンズ１０に対向した赤外線除去フィルタ１４が配置され、この赤外線除去フィルタ１４は、下ケース部３に掛止めされた保持部１５によって保持されている。
【００４６】
絶縁基板１６には、スルーホール等からなる導電体１７と、ここでは図示しないが、配線パターンが設けられ、この絶縁基板１６には、配線パターンに接続された撮像素子１８が搭載されている。
【００４７】
そして、絶縁基板１６は、撮像素子１８が赤外線除去フィルタ１４に対向した状態で、ケース１の下部に配置されて、ケース１に適宜手段によって取り付けられると共に、この絶縁基板１６とケース１の下部との間には、空隙部Ｋが形成されている。
【００４８】
この絶縁基板１６が基板部材を形成すると共に、導電体１７によって、基板部材に設けられた接続導体を形成している。
【００４９】
バネ性のある板材等で形成された押圧部材１９は、特に図４，図５に示すように、複数個が間隔を置いて並列して配置された押圧部１９ａと、この押圧部１９ａのそれぞれの端部（両端部）を結合する連結部１９ｂと、長手方向の両端部が外方に折り曲げられた一対の係止部１９ｃを有する。
【００５０】
この押圧部材１９は、空隙部Ｋ内に位置した引出用フレキシブル基板１２（導電パターン１３の反対面）を押圧するように、空隙部Ｋ内に圧入されると共に、係止部１９ｃがケース１に掛止めされて、押圧部材１９の抜け止めが行われる。
【００５１】
この時、押圧部１９ａのそれぞれは、導電パターン１３と対向する引出用フレキシブル基板１２側を押圧して、導電パターン１３が導電体１７に圧接されるようになる。
【００５２】
フレキシブル基板等からなる回路基板２０には、配線パターン２１が設けられると共に、この回路基板２０には、ここでは図示しないが、オートフォーカス回路等の電気回路が形成されている。
【００５３】
そして、回路基板２０は、絶縁基板１６の下部に配置されて、導電体１７と撮像素子１８が配線パターン２１に接続されて、本発明のカメラモジュールが形成されている。
【００５４】
なお、上記実施例では、絶縁基板１６を使用したもので説明したが、この絶縁基板１６を無くして、引出用フレキシブル基板１２を回路基板２０に接続するようにしても良く、この場合、回路基板２０よって基板部材を形成し、配線パターン２１が基板部材に設けられた接続導体を形成している。
【００５５】
このような構成を有する本発明のカメラモジュールは、回路基板２０からオートフォーカ用の電流が供給されると、その電流がモータＭに入力されて、ロータ８が回転し、すると、ロータ８のネジ部８ａに噛み合った可動体９が光軸方向に上下動して、レンズ１０の自動焦点調整が行われるようになっている。
【００５６】
次に、本発明のカメラモジュールの接続方法について説明すると、先ず、押圧部材１９をケース１外に配置して、この押圧部材１９が引出用フレキシブル基板１２を押圧するように空隙部Ｋ内に嵌入されて、導電パターン１３を導電体１７（接続導体）に圧接させる。
【００５７】
この時、引出用フレキシブル基板１２は、予め空隙部Ｋ内にはめ込み、或いは押圧部材１９と共に空隙部Ｋ内に嵌入するようにしても良く、そして、押圧部材１９が空隙部Ｋ内に圧入されると、係止部１９ｃがケース１に掛止めされて、押圧部材１９の抜け止めが行われて、その接続が完了する。
【００５８】
なお、絶縁基板１６に代えて回路基板２０を使用し、押圧部材１９によって、引出用フレキシブル基板１２を回路基板２０の配線パターン２１に接続するようにしても良い。
【図面の簡単な説明】
【００５９】
【図１】本発明のカメラモジュールの平面図である。
【図２】図１の２−２線における断面図である。
【図３】本発明のカメラモジュールに係り、接続構造を示す要部の断面図である。
【図４】本発明のカメラモジュールに係り、接続構造を示す要部の斜視図である。
【図５】本発明のカメラモジュールに係り、押圧部材の構造を示す要部の斜視図である。
【図６】本発明のカメラモジュールに係る引出用フレキシブル基板の斜視図である。
【図７】従来のカメラモジュールの説明図である。
【符号の説明】
【００６０】
１  ケース
１ａ  孔
２  上ケース部
３  下ケース部
Ｍ  モータ
４  支持部
５  第１のコイル
６  第２のオイル
７  磁石
８  ロータ
８ａ  ネジ部
９  可動体
９ａ  ネジ
１０  レンズ
１１  バネ部材
１２  引出用フレキシブル基板
１２ａ  第１のリング状部
１２ｂ  第２のリング状部
１２ｃ  曲げ部
１２ｄ  連結部
１２ｅ  曲げ部
１２ｆ  引出部
１３  導電パターン
１４  赤外線除去フィルタ
１５  保持部
１６  絶縁基板（基板部材）
１７  導電体（接続導体）
１８  撮像素子
Ｋ  空隙部
１９  押圧部材
１９ａ  押圧部
１９ｂ  連結部
１９ｃ  係止部
２０  回路基板（基板部材）
２１  配線パターン（接続導体）
【図１】
2007159034.tif 000003
【図２】
2007159034.tif 000004
【図３】
2007159034.tif 000005
【図４】
2007159034.tif 000006
【図５】
2007159034.tif 000007
【図６】
2007159034.tif 000008
【図７】
2007159034.tif 000009